(57)【要約】【課題】適切に原稿サイズを設定可能な画像形成装置等を提供する。【解決手段】原稿のサイズを設定する原稿サイズ設定部と、設定された原稿のサイズの領域で原稿を読み取って画像データを生成する読取部と、画像データに基づき、用紙に画像を形成する画像形成部と、用紙が収納される用紙トレイを複数有し、画像形成部に用紙を給紙する給紙部と、用紙トレイに、用紙サイズを設定する用紙トレイ設定部と、を備え、原稿サイズ設定部は、用紙トレイの中から一の用紙トレイが選択されている場合には、当該選択されている用紙トレイに設定されている用紙サイズを、原稿のサイズとして設定する。【選択図】図２
2020181049.tif 000002
【特許請求の範囲】
【請求項１】
原稿のサイズを設定する原稿サイズ設定部と、
前記設定された原稿のサイズの領域で原稿を読み取って画像データを生成する読取部と、
前記画像データに基づき、用紙に画像を形成する画像形成部と、
前記用紙が収納される用紙トレイを複数有し、前記画像形成部に用紙を給紙する給紙部と、
前記用紙トレイに、用紙サイズを設定する用紙トレイ設定部と、
を備え、
前記原稿サイズ設定部は、
前記用紙トレイの中から一の用紙トレイが選択されている場合には、当該選択されている用紙トレイに設定されている用紙サイズを、前記原稿のサイズとして設定することを特徴とする画像形成装置。
【請求項２】
複数の前記用紙トレイの中から、一の用紙トレイを標準トレイとして選択する選択部を更に有し、
前記原稿サイズ設定部は、前記標準トレイと選択された用紙トレイに設定されている用紙サイズを、前記原稿のサイズとして設定することを特徴とする請求項１に記載の画像形成装置。
【請求項３】
前記選択部は、利用頻度の高い用紙トレイ又は直前に選択された用紙トレイを、標準トレイとして選択することを特徴とする請求項２に記載の画像形成装置。
【請求項４】
ユーザを認証する認証部を更に有し、
前記選択部は、前記認証されたユーザに応じて標準トレイを選択することを特徴とする請求項２又は３に記載の画像形成装置。
【請求項５】
表示部を更に有し、
前記選択部は、標準トレイが選択されていない場合には、前記用紙トレイの中から標準トレイを利用者に選択させるための画面を前記表示部に表示することを特徴とする請求項２から４の何れか一項に記載の画像形成装置。
【請求項６】
前記選択部は、前記複数の用紙トレイの中から、複数の用紙トレイを標準トレイとして選択可能であって、
前記原稿サイズ設定部は、前記読取部が前記原稿を読み取る前に、前記選択部により選択されている複数の標準トレイの中から一の標準トレイを利用者に選択させることを特徴とする請求項２に記載の画像形成装置。
【請求項７】
画像データに基づき、用紙に画像を形成する画像形成部と、用紙が収納される用紙トレイを複数有し、前記画像形成部に用紙を給紙する給紙部と、を備えた画像形成装置における設定方法であって、
原稿のサイズを設定するステップと、
前記設定された原稿のサイズの領域で原稿を読み取って画像データを生成するステップと、
前記用紙トレイに、用紙サイズを設定するステップと、
を含み、
前記用紙トレイの中から一の用紙トレイが選択されている場合には、当該選択されている用紙トレイに設定されている用紙サイズを、前記原稿のサイズとして設定することを特徴とする画像形成装置における設定方法。
【発明の詳細な説明】
【技術分野】
【０００１】
本発明は、画像形成装置等に関する。
【背景技術】
【０００２】
例えばコピー機能や、ＦＡＸ機能、スキャナ機能を備えた複合機等の画像形成装置は、用紙トレイから、記録紙を給紙し、当該記録紙に画像を形成して印刷する処理を実行する。一般的に、画像形成装置において用紙トレイは複数備えられており、原稿のサイズに対応した記録紙が収納された用紙トレイが選択される。また、原稿サイズが指定されることで、原稿としても読み取られる範囲が決定される。
【０００３】
ここで、原稿の用紙を検知するための検知部を有する画像形成装置の場合は、検知された原稿サイズに応じて原稿が読み取られたり、用紙トレイが選択されたりする。
【０００４】
しかし、画像形成装置の中には、原稿サイズを検知する検知部を有しないものがある。このような画像形成装置の場合には、ユーザにより原稿サイズを選択したり、画像形成装置が原稿サイズを予測したりして原稿を読み取る技術が開示されている（例えば、特許文献１参照）。
【先行技術文献】
【特許文献】
【０００５】
【特許文献１】特開２０１６−１２７３２７号公報
【発明の概要】
【発明が解決しようとする課題】
【０００６】
しかし、例えば、ユーザが原稿サイズをその都度選択する場合は、使い勝手がよいものとは言えなかった。とくに、複合機等の画像形成装置の場合、利用するユーザは様々である。そうすると、必ずしもユーザが原稿サイズを把握しているとは限らず、適切な原稿サイズが選択されるとは限らなかった。
【０００７】
上述した課題に鑑み、本発明は、適切に原稿サイズを設定可能な画像形成装置等を提供することを目的とするものである。
【課題を解決するための手段】
【０００８】
本発明の画像形成装置は、原稿のサイズを設定する原稿サイズ設定部と、前記設定された原稿のサイズの領域で原稿を読み取って画像データを生成する読取部と、前記画像データに基づき、用紙に画像を形成する画像形成部と、前記用紙が収納される用紙トレイを複数有し、前記画像形成部に用紙を給紙する給紙部と、前記用紙トレイに、用紙サイズを設定する用紙トレイ設定部と、を備え、前記原稿サイズ設定部は、前記用紙トレイの中から一の用紙トレイが選択されている場合には、当該選択されている用紙トレイに設定されている用紙サイズを、前記原稿のサイズとして設定することを特徴とする。
【０００９】
本発明の画像形成装置の設定方法は、画像データに基づき、用紙に画像を形成する画像形成部と、用紙が収納される用紙トレイを複数有し、前記画像形成部に用紙を給紙する給紙部と、を備えた画像形成装置における設定方法であって、原稿のサイズを設定するステップと、前記設定された原稿のサイズの領域で原稿を読み取って画像データを生成するステップと、前記用紙トレイに、用紙サイズを設定するステップと、を含み、前記用紙トレイの中から一の用紙トレイが選択されている場合には、当該選択されている用紙トレイに設定されている用紙サイズを、前記原稿のサイズとして設定することを特徴とする。
【発明の効果】
【００１０】
本発明の画像形成装置等は、原稿サイズを検知しなくとも、適切に原稿サイズを設定可能な画像形成装置等を提供することができる。
【図面の簡単な説明】
【００１１】
【図１】第１実施形態における画像形成装置の外観を説明するための図である。
【図２】第１実施形態における画像形成装置の構成を説明するための図である。
【図３】第１実施形態における用紙トレイ設定情報のデータ構成の一例を示すための図である。
【図４】第１実施形態における操作部及び表示部の概要を説明するための図である。
【図５】第１実施形態におけるトレイ設定部の動作を説明するための図である。
【図６】第１実施形態におけるメイン処理を説明するためのフロー図である。
【図７】第１実施形態における標準トレイ設定部の動作を説明するための図である。
【図８】第２実施形態における標準トレイ選択処理を説明するためのフロー図である。
【図９】第３実施形態における標準トレイ選択処理を説明するためのフロー図である。
【発明を実施するための形態】
【００１２】
以下、図面を参照して本発明を実施するための一実施形態について説明する。なお、以下の実施形態は、本発明を説明するための一例であり、特許請求の範囲に記載の発明の技術的範囲が、以下の記載に限定されるものではない。
【００１３】
［１．第１実施形態］
［１．１  概要説明］
まず、画像形成装置１０の概要について、説明する。図１は、画像形成装置１０の外観斜視図を模式的に示した図である。
【００１４】
図１に示す画像形成装置１０は、複数のモードを有している。本実施形態における画像形成装置１０は、以下のモードを有している。
【００１５】
（１）コピーモード／ＦＡＸモード／スキャナモード
画像形成装置１０において、一般的なコピー機能、ＦＡＸ機能、スキャナ機能を実現できるモードである。例えば、画像形成装置１０がコピーモードの場合、コピージョブを実行することができる。
【００１６】
コピージョブについて以下、簡単に説明する。まず、原稿読取部１３０に原稿がセットされ、操作部１６０によりコピー操作が行われる。ユーザは、設定されている原稿サイズ、用紙サイズ、コピー設定（例えば、片面、両面、２ｉｎ１の設定等）を表示部１５０で確認することができる。
【００１７】
ユーザが、操作部１６０からコピースタートの操作を行うと、コピー処理が実行される。具体的には、原稿読取部１３０は、ユーザによりセットされた原稿を読み取る。制御部１００は、原稿読取部１３０により読み取られた原稿から画像データを生成する。
【００１８】
画像形成部１４０は、用紙トレイ１４１０から搬送された用紙に、画像データに基づく画像を生成し、排紙トレイ１４２０から出力する。本実施形態において、用紙とは、画像を形成する記録紙、記録用紙である。通常の普通紙だけでなく、厚紙、光沢紙等の種々の紙媒体だけでなく、画像が形成可能であればフィルム等も含む。
【００１９】
（２）設定モード
画像形成装置１０における各種設定を行うモードである。設定モードは、管理者のみが実行できてもよいし、一般ユーザが実行できてもよい。また、画像形成装置１０を利用するユーザの登録を行うこともできる。
【００２０】
［１．２  機能構成］
画像形成装置１０の機能構成について、図２を参照して説明する。
【００２１】
制御部１００は、画像形成装置１０の全体を制御するための機能部である。制御部１００は、記憶部１２０に記憶されている各種プログラムを読み出して実行することにより各種機能を実現しており、１又は複数の演算装置（例えば、ＣＰＵ（Central Processing Unit））等により構成されている。以下、制御部１００が実現する機能について説明する。
【００２２】
トレイ設定部１０２は、各用紙トレイに収容される用紙（記録紙）のサイズを設定する。例えば、用紙トレイ設定部１０２は、用紙トレイ１に、Ａ４サイズの用紙が収容されていることを設定する。制御部１００は、用紙トレイ毎に用紙サイズが設定されると、設定された用紙サイズを記憶部１２０の用紙トレイ設定情報１２２に記憶する。用紙トレイ設定部１０２は、用紙サイズ以外にも、例えば向きや、厚さ、用紙の種類といったことを設定可能である。
【００２３】
標準トレイ設定部１０４は、用紙トレイの中から標準トレイを設定する。標準トレイは、ユーザが設定してもよいし、制御部１００が設定してもよい。ここで、標準トレイとは、画像形成装置１０が、給紙等を行う場合にデフォルトとして選択される用紙トレイのことである。
【００２４】
コピー処理部１０６は、コピーモードにおいて、コピー機能を実現する。ＦＡＸ処理部１０８は、ＦＡＸモードにおいてＦＡＸ機能を実現する。スキャナ処理部１１０は、スキャナモードにおいてスキャナ機能を実現する。これらの機能については、一般的な複合機において実行される機能が実現できるものである。それぞれの動作・処理については公知技術であり、何れかの公知の処理により実現できれば十分である。
【００２５】
例えば、特開２０１７−２１６５４０号公報（発明の名称：画像処理装置、画像形成装置、プログラム及び記録媒体）、特開２０１７−１５８２１０号公報（発明の名称：画像送信装置、画像送信方法および画像送信装置を備えた画像形成装置）等に開示された発明を参照し、援用することで、コピー機能等が実現可能できる。
【００２６】
ユーザ認証部１１２は、ユーザ認証を行う。例えば、操作部１６０から入力されたユーザ名、パスワードが、ユーザ情報１２６に記憶されているユーザ名、パスワードと一致するか否かにより認証を行う。また、ユーザ認証部１１２は、ユーザ情報取得部１８０により、ユーザの生体情報や画像を取得し、生体認証（例えば、指紋認証、掌紋認証、顔認証、音声認証、虹彩認証等）を行ってもよい。
【００２７】
記憶部１２０は、画像形成装置１０の動作に必要な各種プログラムや、各種データが記憶されている機能部である。記憶部１２０は、例えば、ＳＳＤ（Solid State Drive）等の半導体メモリや、ＨＤＤ（Hard Disk Drive）等により構成されている。
【００２８】
また、記憶部１２０は、用紙トレイ設定情報１２２と、装置情報１２４と、ユーザ情報１２６とを記憶している。
【００２９】
用紙トレイ設定情報１２２は、用紙トレイ毎に、用紙の大きさ（用紙サイズ）と、標準トレイであるか否かの設定とを記憶する。本実施形態の画像形成装置１０は、用紙トレイ１、用紙トレイ２、用紙トレイ３、用紙トレイ４の４つの用紙トレイを備えている。また、この中で用紙トレイ１が標準トレイに設定されていることが記憶されている。
【００３０】
装置情報１２４は、画像形成装置１０に関する情報を記憶する。ここでは、原稿のサイズ（原稿サイズ）と、給紙される用紙のサイズ（用紙サイズ）とを記憶する。原稿読取部１３０は、装置情報１２４において記憶されている原稿サイズに基づいて原稿を読み取る。また、画像形成部１４０は、用紙サイズに基づいて画像を形成する。
【００３１】
ユーザ情報１２６は、ユーザに関する情報を記憶する。例えば、ユーザ認証に関する情報（例えば、ユーザ名、パスワード、ユーザに関する生体情報）を記憶する。また、後述するように、ユーザ毎に標準トレイが設定可能である場合は、ユーザに対応づけて標準トレイを記憶する。
【００３２】
原稿読取部１３０は、原稿の画像を読み取って画像データを生成するものであり、例えばＣＩＳ（Contact Image Sensor）やＣＣＤ（Charge Coupled Device）等の光学情報を電気信号に変換するデバイスを備えたスキャナ装置等により構成されている。
【００３３】
例えば、原稿読取部１３０は、載置台に載置された原稿を、原稿サイズにより設定された範囲で読み取り、画像データとして出力する。なお、原稿は、載置台にセットされてもよいし、自動原稿送り装置（ＡＤＦ：Auto Document Feeder）にセットされてもよいが、本実施形態では、主に載置台に原稿がセットされるものとして説明する。
【００３４】
画像形成部１４０は、画像データを記録媒体（例えば記録紙）に形成するための機能部である。例えば、図１の用紙トレイ１４１０から記録紙を給紙し、画像形成部１４０に記録紙の表面に画像が形成された後に排紙トレイ１４２０から排紙される。画像形成部１４０は、例えば電子写真方式を利用したレーザプリンタ等により構成されている。
【００３５】
また、用紙トレイ１４１０は、通常１又は複数備えられている。本実施形態では、４つの用紙トレイが備えられており、それぞれ用紙が収容されている。画像形成装置１０は、それぞれの用紙トレイ１４１０に収容されている用紙サイズを、用紙トレイ設定情報１２２として記憶している。
【００３６】
表示部１５０は、画像形成装置１０の各種状態を表示したり、操作入力の状態を表示したりする。例えば、液晶ディスプレイ（ＬＣＤ：liquid crystal display）や、有機ＥＬパネル、電気泳動方式を利用した電子ペーパ等により構成されている。
【００３７】
操作部１６０は、利用者からの操作入力を受け付けるボタン、スイッチ等である。操作部１６０は、スイッチ、キーボードといったハードウェアの入力装置で実現してもよいし、表示部１５０と一体形成されるタッチパネル等により実現してもよい。
【００３８】
通信部１７０は、他の装置と通信を行う。例えば、通信部１７０は、ネットワークに接続可能なインタフェースを有し、有線／無線ＬＡＮ（Local Area Network）を介して他の装置と通信できればよい。なお、ＵＳＢ（Universal Serial Bus）インタフェース等により、他の装置（例えばＵＳＢメモリ等）から画像データを送受信してもよい。
【００３９】
ユーザ情報取得部１８０は、ユーザ情報を取得する。例えば、カメラ装置によりユーザの顔認証を行ったり、音声入力装置により音声認証を行ったりするための情報を取得する。その他にも、指紋センサ、掌紋センサ、虹彩センサ、網膜センサといったユーザ情報を取得する装置でも実現可能である。
【００４０】
また、ユーザ情報取得部１８０は、例えばＮＦＣ（Near Field Communication）等の無線通信を利用して、端末装置や識別カードに記憶されたユーザ情報を取得してもよい。なお、単純にユーザ情報としてユーザ名、パスワードの入力であれば、操作部１６０により実現することもできる。
【００４１】
なお、上述した各構成は、必要に応じた機能を画像形成装置１０が備えていればよい。例えば、ユーザ認証を行わない画像形成装置１０であれば、ユーザ認証部１１２、ユーザ情報１２６、ユーザ情報取得部１８０は不要である。
【００４２】
図２に記載された構成は、少なくとも制御部及び記憶部を備えていればよく、本実施形態における動作を実現できるものを備えていればよい。また、一部の機能は外部の装置で実現されてもよい。例えば、表示部１５０は接続された表示装置であってもよい。
【００４３】
また、一部の機能はハードウェアで実現されてもよいし、ソフトウェアで実現されてもよい。また、記憶部１２０に記憶されている情報は、クラウド上に記憶されている情報であってもよい。
【００４４】
また、画像形成装置１０は、上述した構成以外にも必要な機能を更に備えていてもよい。例えば、課金管理部を有することで、ユーザから料金が投入されたときのみ画像形成装置１０が利用可能になるような管理部を設けてもよい。
【００４５】
［１．３  表示部及び操作部の構成］
ここで、表示部１５０において表示される表示画面と、操作部１６０とについて、図４を参照して説明する。図４は、表示部１５０と、操作部１６０とを説明する図である。表示部１５０には、一例としてコピーモード時における表示画面Ｗ１０００が記載されている。
【００４６】
なお、図４の操作部１６０の一部には、説明の都合上表示部１５０が含まれているが、別に構成されてもよい。また、操作部１６０の各操作ボタンは、操作部１６０の全体を、表示部１５０と一体に形成されたタッチ検出可能なタッチパネルとし、ソフトウェアキーを用いて実現してもよい。
【００４７】
ボタン１６０２は、決定を示すボタン１６０２ａと、方向を示すボタン１６０２ｂとを示している。「ＯＫ」で示される中央のボタン１６０２ａが選択されると、決定操作がされる。また、「ＯＫ」の周りの上下左右に設けられたボタン１６０２ｂを選択することで、ユーザは、例えば表示部１５０において表示されているカーソルや、選択マークを移動したり、枚数を変更したりすることができる。
【００４８】
ボタン（群）１６０４は、テンキーである。すなわち、数字を操作入力可能なボタンがボタン群としてまとめて配置されている。
【００４９】
ボタン１６０６は、電源ボタンであり、画像形成装置１０の電源を制御するボタンである。ボタン１６０８は、画像形成装置１０の動作モードを省電力モード（スリープモード）に移行するためのボタンであり、省電力モード（スリープモード）中は点灯あるいは点滅してもよい。
【００５０】
ボタン１６１０は、スタートボタンであり、ユーザから投入された各ジョブの実行開始を指示するためのボタンである。例えば、画像形成装置１０の動作モードがコピーモードの場合、コピージョブの実行開始を指示する。ボタン１６１２は、戻るボタンであり、画面を１つ前の状態に戻したり、処理を１つ前の状態に戻したりするボタンである。ボタン１６１４は、中止ボタンであり、ジョブや処理の中止を受け付けるためのボタンである。
【００５１】
ボタン１６１６は、設定ボタンであり、設定モードに遷移するためのボタンである。ボタン（群）１６１８は、機能ボタンであり、各種機能が割り当てられるボタンである。例えば、ボタン（群）１６１８は、コピーモードにおいては、両面機能や、集約機能を各ボタンに割り当てることが可能である。
【００５２】
ボタン（群）１６２０は、モード選択ボタンであり、各モードの切替えを行うためのボタンである。例えば、現在はコピーモードであるため、ＣＯＰＹボタンが点灯している。
【００５３】
また、表示部１５０は、コピーモードが実行されているときの表示画面Ｗ１０００を表示している。表示画面Ｗ１０００は、コピーができる旨の表示がされ、現在の原稿サイズ「Ａ４」という表示が領域１５０２に表示されている。
【００５４】
また、選択されている用紙トレイの情報として、用紙トレイの番号「１」が領域１５０４に表示され、当該用紙トレイにおいて収容されている用紙のサイズ「Ａ４」が領域１５０６に表示されている。その他にも、表示画面Ｗ１０００は、コピー濃度や、拡大率／縮小率といった情報を表示している。
【００５５】
［１．４  処理の流れ］
つづいて、画像形成装置１０において実行される処理の流れについて、図を参照して説明する。
【００５６】
［１．４．１  用紙トレイ設定処理］
まず、用紙トレイ設定部１０２が用紙トレイに関する情報を設定する処理について、図５を参照して説明する。図５は、用紙トレイにおける用紙サイズを設定する処理を説明するための図である。
【００５７】
図５（ａ）は、設定モードに切り替わった場合の表示画面Ｗ１００の一例である。制御部１００は、例えばユーザ（管理者）によりボタン１６１６が選択されると、画像形成装置１０の動作モードを設定モードに遷移する。
【００５８】
ここで、図５（ａ）に示すように、ユーザによりボタン１６０２を利用して「用紙サイズ設定」が選択されると、用紙トレイ設定部１０２は、用紙トレイ設定処理を実行する。
【００５９】
図５（ｂ）は、用紙トレイ設定処理により表示される表示画面Ｗ１０２の一例である。ここでは、用紙トレイ１には用紙サイズとして「Ａ３」が設定されている。
【００６０】
ここで、ユーザにより用紙トレイ１が選択されると、用紙トレイ設定部１０２は、表示画面に選択可能な用紙サイズを表示する（図５（ｃ）の表示画面Ｗ１０４）。そして、ユーザにより用紙サイズとして「Ａ４」が選択されると、用紙トレイ設定部１０２は、用紙トレイ１の用紙サイズを「Ａ４」に設定する。
【００６１】
そして、用紙トレイ設定部１０２は、設定された用紙サイズを、用紙トレイ設定情報１２２に記憶する。すなわち、用紙トレイ設定処理が実行されることにより、用紙トレイの用紙サイズが設定される。
【００６２】
なお、図５において説明した用紙トレイ設定処理は、一例として用紙トレイの用紙サイズを設定しているが、その他の情報を設定してもよい。例えば、用紙トレイに収容される用紙の厚さ、用紙の種類等を設定してもよい。
【００６３】
［１．４．２  メイン処理］
つづいて、本実施形態のメイン処理について図６を参照して説明する。メイン処理は、ユーザにより各種機能、例えば本図ではコピー機能が選択された場合に、制御部１００（コピー処理部１０６）が実行する処理である。
【００６４】
制御部１００は、原稿を検知する手段が有るか否かを判定する（ステップＳ１０２）。例えば、制御部１００は、原稿読取部１３０が、原稿検知部を有しているか否かを判定する。原稿を検知する手段があるか否かを判定する方法としては、上述したように予め装置情報１２４に、原稿を検知する手段の有無を記憶しておいてもよいし、実際に原稿を検知可能かを判定してもよい。原稿（サイズ）を検知する方法としては、例えば、特開２００７−３０４１９３号公報（発明の名称：原稿サイズ検知装置及びこれを用いた画像読取り装置及び画像形成装置）等に開示された発明を参照し、援用することで原稿のサイズを検知することができる。
【００６５】
制御部１００は、原稿を検知する手段があると判定した場合に（ステップＳ１０２；Ｙｅｓ）、原稿を検知した結果に基づいて、原稿サイズを判定する（ステップＳ１０４）。例えば、原稿読取部１３０は、赤外線センサや、原稿検知スイッチ等により原稿サイズを判定してもよい。また、原稿読取部１３０がプレスキャンを行うことにより、原稿サイズを判定してもよい。
【００６６】
そして、制御部１００は、ステップＳ１０４で判定した原稿サイズに基づいて、用紙トレイを選択する（ステップＳ１０６）。これにより、制御部１００は、コピー元となる原稿と同じ用紙サイズが格納されている用紙トレイを選択することができる。
【００６７】
原稿検知する手段がない場合（ステップＳ１０２；Ｎｏ）、制御部１００は、標準トレイが設定されているか否かを判定する（ステップＳ１０８）。本実施形態において、標準トレイは、用紙トレイの中から１つの用紙トレイが標準トレイであると設定されており、用紙トレイ設定情報１２２に記憶されている。
【００６８】
標準トレイが設定されている場合（ステップＳ１０８；Ｙｅｓ）、制御部１００は用紙トレイ選択処理を実行する（ステップＳ１１０）。ここで、用紙トレイ設定情報１２２に記憶されている標準トレイは、１つのみであることから、制御部１００は、用紙トレイ選択処理においてそのままの標準トレイを給紙する用紙トレイとして選択する。
【００６９】
また、標準トレイが設定されていない場合、すなわち用紙トレイ設定情報１２２に標準トレイの設定が記憶されていない場合、制御部１００は、標準トレイ設定処理を実行する（ステップＳ１１２）。
【００７０】
制御部１００（標準トレイ設定部１０４）は、標準トレイ設定処理を実行することで、まず標準トレイ設定画面を表示し（ステップＳ１１２２）、ユーザに標準トレイを設定させる（ステップＳ１１２４）。ここで、標準トレイ設定部１０４が実行する標準トレイ設定処理の動作について、図７を参照して説明する。なお、図７の表示画面で「トレイ」と表示されているのは、用紙トレイと同義である。
【００７１】
図７（ａ）は、画像形成装置の動作モードが設定モードに切り替わった場合の表示画面Ｗ２００の一例である。制御部１００は、例えばユーザ（管理者）によりボタン１６１６が選択されると、画像形成装置１０の動作モードを設定モードに遷移する。
【００７２】
ここで、図７（ａ）の表示画面Ｗ２００から、ユーザによりボタン１６０２を利用して「システム設定」が選択されると（図７（ｂ）の表示画面Ｗ２０２）、システム設定画面が表示される。
【００７３】
図７（ｃ）は、図７（ｂ）においてシステム設定が選択されて遷移した表示画面Ｗ２０４において、ボタン１６０２を利用して「コピー」が選択された状態を示す。図７（ｃ）において、ユーザによりコピーが選択されると、図７（ｄ）に示された表示画面Ｗ２０６に遷移する。すなわち、ユーザは、コピーモードにおける各種設定を行うことができる。
【００７４】
ここで、ユーザにより標準トレイが選択されると、標準トレイ設定部１０４が標準トレイ設定処理を実行する。標準トレイ設定処理が実行されたのが図７（ｅ）の表示画面Ｗ２０８である。
【００７５】
図７（ｅ）では、ユーザが選択した用紙トレイが、標準トレイとして設定される。例えば、図７（ｅ）では、「用紙トレイ１」が選択されていることから、用紙トレイ１が標準トレイとして設定される。このように、用紙トレイ設定処理が実行されることにより、用紙トレイの中から１の用紙トレイが標準トレイとして設定される。
【００７６】
標準トレイが設定されたことから、制御部１００は、用紙トレイ選択処理を実行する（ステップＳ１１０）。すなわち、標準トレイ設定処理で設定された標準トレイが、給紙する用紙トレイとして選択される。
【００７７】
そして、制御部１００は、標準トレイに基づいて、原稿サイズを設定する（ステップＳ１２０）。具体的には、装置情報１２４に、標準トレイに設定されている用紙サイズを、原稿サイズとして記憶する。
【００７８】
ここで、ユーザによりスタートボタン（例えば、図４のボタン１６１０）が選択されると、制御部１００（コピー処理部１０６）は、コピー処理を実行する（ステップＳ１２２；Ｙｅｓ→ステップＳ１２４）。
【００７９】
例えば、コピー処理部１０６（制御部１００）は、装置情報１２４から原稿サイズを読み出す。そして、原稿読取部１３０は、読み出された原稿サイズの範囲で原稿を読み取り、画像データを生成する。
【００８０】
また、画像形成部１４０は、画像データに基づき、標準トレイから給紙された用紙トレイの記録紙に画像を形成する。このとき、画像形成部１４０は、装置情報１２４から読み出された用紙サイズに基づいて画像を形成する。
【００８１】
本実施形態によれば、標準トレイに設定された用紙サイズに応じて原稿サイズを設定することができる。例えば、利用者により標準トレイとしてＡ４サイズの用紙サイズが設定されている場合、原稿サイズもＡ４が読み込まれる。このように、原稿を検知する手段がなかったとしても、利用者がよく利用する用紙サイズ（標準トレイに格納されている用紙の用紙サイズ）が標準トレイに設定されているために、適切な原稿サイズが設定されることになる。
【００８２】
とくに、単に原稿の読み取り回数、原稿を印刷した枚数に応じて用紙サイズだけで自動で原稿サイズを判定した場合、ある程度画像形成装置を利用すると、用紙サイズの比率は固定されてしまう。
【００８３】
具体的には、例えば既に１０万枚中９万枚Ｂ５サイズの原稿を読み取っている場合、自動で判定される原稿サイズはＢ５サイズとなる。途中から自動的にＡ４サイズとして原稿サイズを判定されるようにするためには、Ｂ５サイズの比率が高いため、相当数読み取られない限り、Ａ４サイズに判定されることはない。
【００８４】
本実施形態によれば、標準トレイサイズをＢ５サイズに設定されている用紙トレイからＡ４サイズに設定されている用紙トレイに変更するだけで、原稿サイズをＡ４に変更することが可能となる。
【００８５】
したがって、例えば利用者が、原稿の種類に応じて任意に標準トレイを設定するだけで、原稿サイズも合わせて設定されることになり、適切な原稿サイズで原稿を読み取ることが可能となる。
【００８６】
なお、図６の処理はステップＳ１２４においてコピー処理を実行することとして説明しているが、例えばＦＡＸの処理（ＦＡＸ処理部１０８）や、スキャナの処理（スキャナ処理部１１０）においても実行可能なことは勿論である。また、ステップＳ１２２において、画像形成装置１０が実行可能な機能であって、当業者が想定できる範囲であれば他の機能であってもよい。
【００８７】
［２．第２実施形態］
つづいて、第２実施形態について説明する。第２実施形態は、標準トレイにおいて用紙切れとなっている場合の実施形態である。なお、第１実施形態と機能構成、処理フローは同一であり、第１実施形態と異なる点を中心に説明する。
【００８８】
すなわち、制御部１００が、図６のステップＳ１１０の用紙トレイ選択処理として、図８の第２用紙トレイ選択処理を実行する場合の実施形態である。
【００８９】
図８に示すように、制御部１００は、標準トレイに用紙がセットされていない、すなわち標準トレイに設定された用紙トレイにおいて、用紙切れであるかを判定する（ステップＳ２０２）。ここで、用紙切れでなければ、制御部１００は、そのまま標準トレイの用紙トレイを選択する（ステップＳ２０２；Ｎｏ→ステップＳ２１０）。
【００９０】
ここで、制御部１００は、標準トレイに用紙がセットされていない場合（ステップＳ２０２；Ｙｅｓ）、エラーを実行する（ステップＳ２０４）。ステップＳ２０４のエラー処理は、通常の用紙切れの処理であり、例えば制御部１００は、用紙切れの表示を行ったり、制御部１００は音や音声で（不図示の報知部から）報知したりする。
【００９１】
ここで、利用者により標準トレイに用紙がセットされた場合（ステップＳ２０６）、制御部１００は、そのまま当該標準トレイの用紙トレイを選択する。他方、標準トレイに用紙をセットせず、ユーザにより他の用紙トレイが選択された場合には、選択された標準トレイの用紙トレイを選択する（ステップＳ２０８；Ｙｅｓ→ステップＳ２１０）。
【００９２】
このように、本実施形態によれば、標準トレイに対応する用紙トレイにおいて用紙切れであったとしても、ユーザの対応により、ユーザの意図にそった給紙や、原稿読取を実行することができる。
【００９３】
［３．第３実施形態］
つづいて、第３実施形態について説明する。第３実施形態は、標準トレイが複数設定できる場合の実施形態である。なお、第１実施形態と機能構成、処理フローは同一であり、第１実施形態と異なる点を中心に説明する。
【００９４】
すなわち、制御部１００が、図６のステップＳ１１０の用紙トレイ選択処理として、図９の第３用紙トレイ選択処理を実行する場合の実施形態である。
【００９５】
また、本実施形態は、ユーザ毎に装置に関する情報が記憶されている。ユーザ認証部１１２によりユーザが認証されると、制御部１００は、ユーザ情報１２６から認証されたユーザに対応づけられた情報を読み出す。また、本実施形態は、標準トレイとして複数設定可能な実施形態について説明する。
【００９６】
制御部１００は、用紙トレイ設定情報１２２において、複数の標準トレイが設定されていなければ、上述した実施形態と同様にそのまま標準トレイに対応する用紙トレイを選択する（ステップＳ３０２；Ｎｏ→ステップＳ３１０）。
【００９７】
ここで、標準トレイが複数設定されている場合（ステップＳ３０２；Ｙｅｓ）、制御部１００は、ユーザ情報を読み出す（ステップＳ３０４）。
【００９８】
ここで、読み出されたユーザ情報に対応づけられて標準トレイの設定がある場合（ステップＳ３０６；Ｙｅｓ）、制御部１００は当該標準トレイを読み出して標準トレイとして設定する。そして、当該標準トレイに対応する用紙トレイを選択する（ステップＳ３１０）。他方、ユーザ情報に設定された標準トレイがない場合（ステップＳ３０６；Ｎｏ）、制御部１００は、新たにユーザから用紙トレイの選択を促す（ステップＳ３０８）。
【００９９】
そして、制御部１００は、用紙トレイが選択されることで、用紙トレイが選択される（ステップＳ３０８；Ｙｅｓ→ステップＳ３１０）。なお、この場合、選択された用紙トレイが標準トレイとして設定されてもいい（ただし、選択された用紙トレイが標準トレイとして設定されることは必須ではない）。
【０１００】
このように、本実施形態によれば、複数の標準トレイが設定可能な画像形成装置であっても、適切に標準トレイを選択することができる。
【０１０１】
［４．第４実施形態］
つづいて、第４実施形態について説明する。第４実施形態は、標準トレイが複数設定できる場合の実施形態である。なお、第１実施形態と機能構成、処理フローは同一であり、第１実施形態と異なる点を中心に説明する。
【０１０２】
本実施形態では、用紙トレイ設定情報１２２において、標準トレイが複数設定されている。そして、その設定標準トレイの中で、優先度に基づいて、標準トレイを選択する。
【０１０３】
具体的には、図６のステップＳ１１０において制御部１００が実行する、用紙トレイ選択処理について説明する。まず、複数ある標準トレイの中から１つの用紙トレイを選択する。
【０１０４】
この場合、標準トレイとして複数設定されている用紙トレイにおいて、利用頻度の高い用紙トレイ又は直前に選択された用紙トレイを判定する。そして、利用頻度の高い用紙又は直前に選択された用紙トレイを選択する。
【０１０５】
また、そもそも標準トレイが設定されていないときに、標準トレイ設定処理において実現されてもよい。すなわち、標準トレイ設定画面を表示する前に、利用頻度の高い用紙トレイ又は直前に選択された用紙トレイを判定する。そして、利用頻度の高い用紙又は直前に選択された用紙トレイを標準トレイとして設定するようにレコメンドを行う。
【０１０６】
このように、本実施形態によれば、複数の用紙トレイの中から、利用頻度等に応じて、適切な用紙トレイを選択することができる。
【０１０７】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１０８】
また、実施形態において各装置で動作するプログラムは、上述した実施形態の機能を実現するように、ＣＰＵ等の演算装置を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１０９】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１１０】
１０  端末装置
１００  制御部
１０２  用紙トレイ設定部
１０４  標準トレイ設定部
１０６  コピー処理部
１０８  ＦＡＸ処理部
１１０  スキャナ処理部
１１２  ユーザ認証部
１２０  記憶部
１２２  用紙トレイ設定情報
１２４  装置情報
１２６  ユーザ情報
１３０  原稿読取部
１４０  画像形成部
１５０  表示部
１６０  操作部
１７０  通信部
１８０  ユーザ情報取得部
【図１】
2020181049.tif 000003
【図２】
2020181049.tif 000004
【図３】
2020181049.tif 000005
【図４】
2020181049.tif 000006
【図５】
2020181049.tif 000007
【図６】
2020181049.tif 000008
【図７】
2020181049.tif 000009
【図８】
2020181049.tif 000010
【図９】
2020181049.tif 000011